(57)【要約】【課題】お札の種類に応じて１つで各種サイズのお札を立てることが可能となるお札立てを提供する。【解決手段】  前寄りの上面に側方に向けて両側に貫通した掛止溝５を設けた台部１と、  前記掛止溝５の後方の該台部上に設けた嵌合溝に嵌合して台部１に直立可能とした支持板２と、前記台部１の掛止溝５の両側から該掛止溝方向にスライド可能に装着され、前記掛止溝５の底面と略面一となるコーナー台１２、１３を備えた拡幅調節部材３、４とから成り、前記拡幅調節部材３、４をスライドさせて、立てたお札の下辺の長さに応じてコーナー台１２、１３の位置を調節可能としたことを特徴とする。【選択図】    図１
0003163561.tif 000002
【実用新案登録請求の範囲】
【請求項１】
前寄りの上面に側方に向けて両側に貫通した掛止溝を設けた台部と、
前記掛止溝の後方の該台部上に設けた嵌合溝に嵌合して台部に直立可能とした支持板と、
前記台部の掛止溝の両側から該掛止溝方向にスライド可能に装着され、前記掛止溝の底面と略面一となるコーナー台を備えた拡幅調節部材とから成り、
前記拡幅調節部材をスライドさせて、立てたお札の下辺の長さに応じてコーナー台の位置を調節可能としたことを特徴とするお札立。
【請求項２】
請求項１に記載のお札立において、
台部の掛止溝の両側に拡幅調節部材のコーナー台が嵌合可能な切欠部を設け、該切欠部を、両側の拡幅調節部材の最外側面が台部の側面と略面一となる切り込み深さに形成したことを特徴するお札立。
【請求項３】
請求項１又は２に記載のお札立において、
台部の掛止溝の下に１本の蟻溝部を形成し、該蟻溝部に両側からスライド可能に嵌合する蟻部を前記拡幅調節部材に形成したことを特徴するお札立。
【請求項４】
請求項１又は２に記載のお札立において、
台部の掛止溝の下に平行な２本の蟻溝部を形成し、該２本の蟻溝部のうち前側の蟻溝部には該蟻溝部にスライド可能に嵌合する蟻部を設けた一方側の拡幅調節部材を連結し、後側の蟻溝部には該蟻溝部にスライド可能に嵌合する蟻部を設けた他方側の拡幅調節部材を連結したことを特徴するお札立。
【請求項５】
請求項１から４のうちいずれかに記載のお札立において
台部の掛止溝内に、拡幅調節部材の蟻部のスライド方向に形成したピン溝を形成し、前記拡幅調節部材の蟻部の先端寄り部位にピンを前記ピン溝内に突出させて設け、前記ピン溝の前記拡幅調節部材側端部寄にピンストッパを設けて成り、前記拡幅調節部材をスライドさせたときピンがピンストッパに当たって台部から拡幅調節部材が脱落しないようにしたことを特徴するお札立。
【請求項６】
請求項１から５のうちいずれかに記載のお札立において、
台部の前記掛止溝から後方の上面に前後方向の蟻溝を形成し、支持板の下部に台部の前記蟻溝に嵌合可能に対応した蟻部を形成し、台部の前記蟻溝に支持板の蟻部を嵌合させて成り、
台部上に直立させた支持板を前後方向にスライドさせて、立てたお札の傾斜角度を調節可能したことを特徴とするお札立。
【考案の詳細な説明】
【技術分野】
【０００１】
本考案は神社仏閣等の宗教施設等で発行した「お札」を室内において立てて飾る器具に関する。
【背景技術】
【０００２】
お札を立てて飾る器具（以下「お札立」と呼ぶ）に関し、従来スタンド台に板状の壁掛台を立設した下記特許文献１に記載の考案が提案されている。
また、図５に示すように、木製の台部Ａの中間に掛止溝Ｃと嵌合溝の２本の平行な溝を有し、その内１つに支持板Ｂを嵌合させた直立させ、お札Ｆの下部を掛止溝Ｃに掛け、お札Ｆの中間を前記支持板Ｂで支持して、お札が立てられるようになっているものが市販されている。
これらは、いずれも台上に直立させた板でお札を支えて、お札を立てて置けるようになっている。
【先行技術文献】
【特許文献】
【０００３】
【特許文献１】実開平５−２８２７４
【考案の概要】
【考案が解決しようとする課題】
【０００４】
しかしながら、お札には大小各種サイズがあって、上記従来のお札立てでは、それらのサイズには対応しきれないという難点があった。
そこで本考案は、一つで各種サイズのお札に対して一つで安定的に立てて置けるお札立てを提供することを目的とする。
【課題を解決するための手段】
【０００５】
上記課題を解決するため、本考案のお札立ては、前寄りの上面に側方に向けて両側に貫通した掛止溝を設けた台部と、前記掛止溝の後方の該台部上に設けた嵌合溝に嵌合して台部に直立可能とした支持板と、前記台部の掛止溝の両側から該掛止溝方向にスライド可能に装着され、前記掛止溝の底面と略面一となるコーナー台を備えた拡幅調節部材とから成る。
そして、前記拡幅調節部材をスライドさせて、立てたお札の下辺の長さに応じてコーナー台の位置を調節可能としたことを特徴とする。
【０００６】
請求項２に記載の考案にあっては、上記考案において、上記請求項１に記載のお札立において、前記台部の掛止溝の両側に拡幅調節部材のコーナー台が嵌合可能な切欠部を設け、該切欠部を、両側の拡幅調節部材の最外側面が台部の側面と略面一となる切り込み深さに形成したことを特徴する。
【０００７】
請求項３に記載の考案にあっては、上記各考案において、前記台部の掛止溝の下に１本の蟻溝部を形成し、該蟻溝部に両側からスライド可能に嵌合する蟻部を前記拡幅調節部材に形成したことを特徴する。
【０００８】
請求項４に記載の考案にあっては、上記各考案において、前記台部の掛止溝の下に平行な２本の蟻溝部を形成し、該２本の蟻溝部のうち前側の蟻溝部には該蟻溝部にスライド可能に嵌合する蟻部を設けた一方側の拡幅調節部材を連結し、後側の蟻溝部には該蟻溝部にスライド可能に嵌合する蟻部を設けた他方側の拡幅調節部材を連結したことを特徴する。
【０００９】
請求項５に記載の考案にあっては、上記各考案において、前記台部の掛止溝内に、拡幅調節部材の蟻部のスライド方向に形成したピン溝を形成し、前記拡幅調節部材の蟻部の先端寄り部位にピンを前記ピン溝内に突出させて設け、前記ピン溝の前記拡幅調節部材側端部寄にピンストッパを設けて成り、前記拡幅調節部材をスライドさせたときピンがピンストッパに当たって台部から拡幅調節部材が脱落しないようにしたことを特徴する。
【００１０】
請求項６に記載の考案にあっては、上記各考案において、前記台部の前記掛止溝から後方の上面に前後方向の蟻溝を形成し、支持板の下部に台部の前記蟻溝に嵌合可能に対応した蟻部を形成し、台部の前記蟻溝に支持板の蟻部を嵌合させて成り、台部上に直立させた支持板を前後方向にスライドさせて、立てたお札の傾斜角度を調節可能したことを特徴とする。
【考案の効果】
【００１１】
本考案のお札立ては、台部に嵌合させた両側の拡幅調節部材が横幅方向にスライドして拡幅し、拡幅調節部材の備えたコーナー台がお札の下辺の長さに応じた台幅となるように調節が可能となり、このため、お札のサイズが大小各種あっても、拡幅調節部材の拡幅可能範囲で、１つのお札立てで、それらのお札の下辺コーナー部分をコーナー台に載せて、お札の安定した立て掛けが可能となる。
【００１２】
請求項２に記載の考案にあっては、前記台部の切欠部に拡幅調節部材の全部が没入状態に嵌合してコンパクトになり、梱包の際に、同じ幅とした拡幅調節部材付きの台部と支持板とを重ね合わせて全体でコンパクトな長方形に纏めることが可能となる。
【００１３】
請求項３に記載の考案にあっては、前記台部の掛止溝の下に形成した１本の蟻溝部に両側から前記拡幅調節部材の蟻部がスライド可能に連結でき、その際、前記台部から前記拡幅調節部材が外れずに、前記拡幅調節部材に形成されたコーナー台がお札の下辺の長さに応じた台幅となるように調節が可能となる。
【００１４】
請求項４に記載の考案にあっては、前記台部の掛止溝の下に平行な２本の蟻溝部に両側から前記拡幅調節部材の蟻部がスライド可能に連結でき、その際、前記台部から前記拡幅調節部材が外れずに、前記拡幅調節部材に形成されたコーナー台がお札の下辺の長さに応じて前記台部の横幅分ほど左右に長く伸ばして、広い台幅となるように調節が可能となる。
【００１５】
請求項５に記載の考案にあっては、拡幅調節部材をスライドさせたとき、前記台部のピン溝の端部のピンストッパに拡幅調節部材に設けたピンが当たって台部から拡幅調節部材が脱落するのを防止できる。
【００１６】
請求項６に記載の考案にあっては、台部上の蟻溝部と支持板下部の蟻部とが嵌合して直立可能となるとともに台部の前後方向に支持板を、前記台部から外れずにスライドさせて、支持板の立ち位置が調節可能となり、お札のサイズに応じて見やすく最適なお札の後ろ傾斜角度の調節が可能となる。
【図面の簡単な説明】
【００１７】
【図１】本考案のお札立てを分解した状態を示す斜視図である。
【図２】別の形態のお札立てを分解した状態を示す斜視図である。
【図３】図１のお札立ての使用状態を示す斜視図である。
【図４】図１のお札立ての拡幅調節部材を開いた使用状態を示す斜視図である。
【図５】別の形態のお札立てを分解した状態を示す斜視図である。
【図６】図５のお札立ての拡幅調節部材を開いた使用状態を示す斜視図である。
【図７】図５のお札立ての分解した状態を示す底面斜視図である。
【図８】従来のお札立ての斜視図である
【考案を実施するための形態】
【００１８】
本考案のお札立ての形態を以下説明する。
本考案は、図１に示すように、台部１と支持板２と両側の拡幅調節部材３、４の４つの部品を一体に組み立て可能としたものである。
前記台部１、前記拡幅調節部材３、４及び支持板２の各部品は木、プラスチック、金属などの素材が使用可能である。
【００１９】
前記台部１はその上面に、矩形の肉厚の板を寝せて、前寄りの上面に側方に向けて両側に貫通した掛止溝５を設ける。
そして、前記掛止溝５の後方には、該台部１上に嵌合溝を設けて該台部１に支持板２の下部を嵌合させて直立可能とする。
【００２０】
また、前記台部１の掛止溝５の両側から該掛止溝５方向にスライド可能に連結した拡幅調節部材３、４を装着する。
前記台部１に拡幅調節部材３、４をスライド可能に連結する構造は、図１に示すように、前記台部１の掛止溝５の下に幅の広い一本の蟻溝部８を形成し、該蟻溝部８にスライド可能に嵌合する板状の蟻部９、１０を前記拡幅調節部材３、４に形成し、図３及び図４に示すように、前記蟻溝部８の両側から差し込んで二つをそれぞれ連結できるようにした構造とすることが可能である。
【００２１】
そして、該拡幅調節部材３、４の上面には、図１及び図２に示すように、前記掛止溝５の底面の前側寄りに対向して前記掛止溝５の底面と上面が略面一となるようにコーナー台１２、１３を形成する。
【００２２】
また、前記台部１に前記拡幅調節部材３、４を連結したとき、前記台部１の側面から前記拡幅調節部材３、４が突出状態が小さくなるようにする場合、図２に示すように、前記台部１の掛止溝５の両側に、拡幅調節部材３、４を納める拡幅調節部材嵌合用切欠部１６ａ、１６ｂを切欠して設け、さらにコーナー台１２、１３が当たる部分にコーナー台嵌合用切欠部１１ａ、１１ｂを切欠して設けて、前記台部１に側面と前記拡幅調節部材３、４の内側の側面１４、１５とが面一となるように形成することができる。
さらに、図５に示すように、該拡幅調節部材嵌合用切欠部１６ａ、１６ｂを、両側の拡幅調節部材３、４の最外側面が台部１の側面と略面一となる切り込み深さに形成すれば、前記台部１の拡幅調節部材嵌合用切欠部１６ａ、１６ｂに拡幅調節部材３、４の全部が没入状態に嵌合してコンパクトになり、梱包の際に、同じ幅とした拡幅調節部材３、４付きの台部１と支持板２とを重ね合わせて全体でコンパクトな長方形に纏めることが可能となり、直方体の箱にコンパクトに納まり、箱入りで販売するのに便利である。
【００２３】
また、前記台部１上に嵌合溝を設けて該台部１に支持板２の下部を嵌合させて直立可能とする構造としては、前記台部１の前記掛止溝５から後方の上面に前後方向の蟻溝６ａ、６ｂを形成し、前記支持板２の下部に台部１の前記蟻溝６ａ、６ｂに嵌合可能に対応した蟻部７ａ、７ｂを形成し、前記台部１の前記蟻溝６ａ、６ｂに前記支持板２の蟻部７ａ、７ｂを嵌合させた構造とすることが可能である。
この構造では台部１上に直立させた支持板２を前後方向に外れることなくスライドさせて、立てたお札の傾斜角度を調節することが可能となる（図３は支持板２を後ろに、図４は前にスライド移動させお札Ｆの傾きを変えた状態をそれぞれ示している）。
そして、図３及び図４に示すように、前記拡幅調節部材３、４をスライドさせて、立てたお札Ｆの下辺の長さに応じてコーナー台１２、１３の位置を、該コーナー台１２、１３上にお札Ｆの下辺のコーナーが載るように突出幅を調節できるようにする。
なお、図１に示すように、台部１の前上部のコーナー部分は面取りをすると見映えが良くなる。
【００２４】
またこれとは別の形態が可能であり、その形態は、図５に示すように、前記台部１の掛止溝５の下に平行な２本の蟻溝部８ａ、８ｂを形成し、該２本の蟻溝部８ａ、８ｂのうち前側の蟻溝部８ａには該蟻溝部８ａにスライド可能に嵌合する蟻部１０を設けた前側（図の左側）の拡幅調節部材４を連結し、後側の蟻溝部８ｂには該蟻溝部８ｂにスライド可能に嵌合する蟻部９を設けた後側（図の右側）の拡幅調節部材３を連結する。
各拡幅調節部材３、４に設ける細長い蟻部９、１０は、接着剤や釘１９を用いて強固に固着する。
【００２５】
そして、図７に示すように、前記台部１の掛止溝５内に、拡幅調節部材３、４の蟻部９、１０のスライド方向に形成したピン溝１８を形成し、前記拡幅調節部材３、４の蟻部９、１０の先端寄り部位に金属製のピン１７を前記ピン溝１８内に突出させて設け、前記ピン溝１８の前記拡幅調節部材側端部寄にピンストッパ２０を設ける。
この形態では、前記拡幅調節部材３、４をスライドさせたときピン１７がピンストッパ２０に当たって台部１から拡幅調節部材３、４の脱落が防止可能となる。
【００２６】
次に本考案の使用方法を説明する。
使用部材は、図１、図２、図５及び図７に示すように、前記台部１、前記拡幅調節部材３、４及び支持板２から成る。
これを使用するに当たっては、図３、図４及び図６に示すように、前記台部１の掛止溝５下の蟻溝部８に蟻部９を形成した前記拡幅調節部材３、４をスライド可能に嵌合し、また前記台部１の前記蟻溝６ａ、６ｂに前記支持板２の蟻部７ａ、７ｂを嵌合させて前記支持板２を直立させる。
【００２７】
このように組み立てたお札立に、お札Ｆを立てる。その立て方は、お札Ｆの下辺の長さに応じて前記拡幅調節部材３、４をお札Ｆの下辺の長さより広めにスライド調節し、コーナー台１２、１３上にお札Ｆの下辺を載せ、次に前記拡幅調節部材３、４間を狭めて内側面１４、１５をお札Ｆの下部側面に押し当てる。
次に、直立させた支持板２を前後にスライド移動させて、お札の背部を支持板２に当ててお札Ｆの傾きを、お札を見やすいようにしたり、好みに合う傾きに調節し、棚などに載置する。このように本考案では、その棚の高さで変わる人の目線の高さに応じたお札Ｆの傾きにすることが可能となる。
【産業上の利用可能性】
【００２８】
本考案のお札立は、お札以外のものを立てて飾るのに利用することも可能である。
【符号の説明】
【００２９】
１    台部
２    支持板
３    拡幅調節部材
４    拡幅調節部材
５    掛止溝
６ａ  蟻溝部
６ｂ  蟻溝部
７ａ  蟻部
７ｂ  蟻部
８    蟻溝部
８ａ  蟻溝部
８ｂ  蟻溝部
９    蟻部
１０    蟻部
１１ａ  コーナー台嵌合用切欠部
１１ｂ  コーナー台嵌合用切欠部
１２    コーナー台
１３    コーナー台
１４    内側面
１５    内側面
１６ａ  拡幅調節部材嵌合用切欠部
１６ｂ  拡幅調節部材嵌合用切欠部
１７    ピン
１８ａ  ピン溝
１８ｂ  ピン溝
１９    釘
２０    ピンストッパ
Ｆ    お札
Ａ    台部
Ｂ    支持板
Ｃ    掛止溝
【図１】
0003163561.tif 000003
【図２】
0003163561.tif 000004
【図３】
0003163561.tif 000005
【図４】
0003163561.tif 000006
【図５】
0003163561.tif 000007
【図６】
0003163561.tif 000008
【図７】
0003163561.tif 000009
【図８】
0003163561.tif 000010